(57)【要約】【課題】上面開口状の容器体に収容された液状薬剤の不用意なこぼれを抑制することができる薬剤揮散装置を提供する。【解決手段】薬剤揮散装置１を、上面開口状の容器体１１と容器体１１に収容された液状薬剤２と液状薬剤２に浸漬された揮散体１２とで構成する。容器体１１の周壁３２は、底面３１から上方へ向かうに従って外側に広がる形状とする。容器体１１の底部に上方へ向けて突出する突出部５１を設け、突出部５１を円弧状突起５２で構成する。円弧状突起５２は底面３１の中心５３を包囲する円弧状を成し、中心５３を包囲するように各円弧状突起５２を配置する。各円弧状突起５２間に間隙５４を形成し、各円弧状突起５２を底面３１と周壁３２との角部６１に設置する。【選択図】図１
2014104266.tif 000002
【特許請求の範囲】
【請求項１】
上面開口状の容器体に収容された液状薬剤に、該液状薬剤を揮散する為の揮散体が浸漬される薬剤揮散装置であって、
前記容器体の底部に上方へ向けて突出する突出部を設けたことを特徴とする薬剤揮散装置。
【請求項２】
前記容器体の周壁を、上方へ向かうに従って外側に広がる形状としたことを特徴とする請求項１記載の薬剤揮散装置。
【請求項３】
前記突出部を複数の突起で構成し、各突起を前記底部の中心を包囲するように配置したことを特徴とする請求項１又は２記載の薬剤揮散装置。
【請求項４】
前記突出部を複数の突起で構成し、前記各突起を、前記底部の中心を包囲する円弧状に形成するとともに、互いに離間して配置したことを特徴とする請求項１、２又は３記載の薬剤揮散装置。
【請求項５】
前記突出部を複数の突起で構成し、前記各突起を、前記底部と前記周壁との角部に設置したことを特徴とする請求項１から４のいずれかに記載の薬剤揮散装置。
【発明の詳細な説明】
【技術分野】
【０００１】
本発明は、薬剤を揮散する薬剤揮散装置に関する。
【背景技術】
【０００２】
従来、薬剤を揮散する薬剤揮散装置としては、室内芳香器が知られている（例えば、特許文献１参照。）。
【０００３】
この室内芳香器は、液体芳香剤が収容されたガラス瓶と、該ガラス瓶の開口部に設けられたワッシャと、該ワッシャに設けられた小径穴に挿入された造花とによって構成されている。
【０００４】
該造花は、前記小径穴を介して前記液体芳香剤を吸い上げる為の茎部と、吸い上げた液体芳香剤を揮散する為の花弁部とからなり、インテリア性に優れるように構成されている。
【先行技術文献】
【特許文献】
【０００５】
【特許文献１】実用新案登録第３１３４６９１号公報
【発明の概要】
【発明が解決しようとする課題】
【０００６】
しかしながら、このような従来の薬剤揮散装置にあっては、液状薬剤と花弁部との間に茎部が介在しており、花弁部を直接薬剤に浸漬するものは無かった。
【０００７】
そこで、本願出願人は、上面開口状の容器体に花形状の花弁部を直接挿入する薬剤揮散装置を案出した。これにより、当該花弁部を前記容器体内の液状薬剤に直接浸漬することで、液状薬剤が花弁部へ直接行き渡るように構成できる。
【０００８】
しかし、このような薬剤揮散器においては、容器体にぶつかる等して容器体に横方向の力が入力した場合、収容された液状薬剤がこぼれやすいという問題があった。
【０００９】
本発明は、このような従来の課題に鑑みてなされたものであり、上面開口状の容器体に収容された液状薬剤の不用意なこぼれを抑制することができる薬剤揮散装置を提供することを目的とするものである。
【課題を解決するための手段】
【００１０】
前記課題を解決するために本発明の請求項１の薬剤揮散装置にあっては、上面開口状の容器体に収容された液状薬剤に、該液状薬剤を揮散する為の揮散体が浸漬される薬剤揮散装置であって、前記容器体の底部に上方へ向けて突出する突出部を設けた。
【００１１】
すなわち、上面開口状の容器体には、液状薬剤が収容されており、前記容器体に収容された前記液状薬剤には、当該液状薬剤を揮散する為の揮散体が浸漬されている。
【００１２】
これにより、前記液状薬剤が直接揮散体に吸い上げられるので、芯材等を介して液状薬剤を揮散体に吸い上げる場合と比較して、吸上効率が高められる。
【００１３】
このとき、前記容器体は、上面が開口している。このため、この容器体にぶつかる等して当該容器体に横方向の力が入力した際には、収容された液状薬剤に波が生じ、こぼれやすくなる。
【００１４】
しかしながら、本願発明にあっては、前記液状薬剤を収容した前記容器体の底部に上方へ突出した突出部が設けられている。このため、前記液状薬剤に生じた横方向の変位が前記突出部で阻害され、波消しとして作用する。
【００１５】
また、請求項２の薬剤揮散装置においては、前記容器体の周壁を、上方へ向かうに従って外側に広がる形状とした。
【００１６】
すなわち、前記容器体は、その周壁が上方へ向かうに従って外側に広がるように傾斜しており、上面開口部が広くなるように構成されている。このため、当該容器体内への揮散体の収容が容易となる。
【００１７】
このとき、当該容器体に横向きの力が加えられ、収容された液状薬剤に波が生じた場合、その波が傾斜した周壁に沿って上昇する。このため、前記液状薬剤は、周壁が垂直に起立した場合と比較して、当該周壁を乗り越えて、こぼれやすい。
【００１８】
しかし、前述したように、前記液状薬剤に生じた横方向の変位が前記突出部で阻害され、波消しとして作用するので、前記液状薬剤の前記周壁の不用意な乗り越えが防止される。
【００１９】
さらに、請求項３の薬剤揮散装置では、前記突出部を複数の突起で構成し、各突起を前記底部の中心を包囲するように配置した。
【００２０】
すなわち、前記突出部は、複数の突起で構成されており、各突起は、前記底部の中心を包囲するように配置されている。
【００２１】
このため、底部中央より周壁方向へ向けて放射状に広がる液状薬剤の流れが、各突起により阻害され、その力が分散される。
【００２２】
加えて、請求項４の薬剤揮散装置にあっては、前記突出部を複数の突起で構成し、前記各突起を、前記底部の中心を包囲する円弧状に形成するとともに、互いに離間して配置した。
【００２３】
すなわち、前記突出部は、複数の突起で構成されており、各突起は、前記底部の中心を包囲する円弧状に形成されている。このため、前記底部の中央より周壁方向へ向けて放射状に広がる液状薬剤の流れが、各突起により阻害され、その力が分散される。
【００２４】
また、前記各突起は、互いに離間して配置されている。このため、各突起を乗り越えて、周壁側へ移動した液状薬剤は、各突起間の隙間を介して底部中央に戻される。
【００２５】
そして、円弧状の突起は、前記底部の中心を包囲するように配置されている。このため、各突起の内側に、前記揮散体を配置することで、当該揮散体は、底部の中央部に位置決めされる。
【００２６】
また、請求項５の薬剤揮散装置においては、前記突出部を複数の突起で構成し、前記各突起を、前記底部と前記周壁との角部に設置した。
【００２７】
すなわち、前記突出部は、複数の突起で構成されており、前記各突起は、前記底部と前記周壁との角部に設置されている。
【００２８】
このため、前記周壁に寄せられた液状薬剤の波は、前記各突起により消失される。
【発明の効果】
【００２９】
以上説明したように本発明の請求項１の芳香剤にあっては、液状薬剤を収容した容器体の底部に上方へ突出した突出部を設けたので、この容器体にぶつかる等して当該容器体に横方向の力が入力した場合であっても、液状薬剤に生じた横方向の変位を突出部で阻害し、波消しとして機能することができる。
【００３０】
したがって、上面開口状の容器体内の液状薬剤に直接揮散体を浸漬する場合であっても、前記液状薬剤の不用意なこぼれを抑制することができる。
【００３１】
また、請求項２の薬剤揮散装置においては、容器体の周壁が上方へ向かうに従って外側に広がるように傾斜しており、上面開口部が広くなるように構成されている。このため、当該容器体内への揮散体の収容が容易となる。
【００３２】
このとき、当該容器体に横向きの力が加えられ、収容された液状薬剤に波が生じた場合、その波が傾斜した周壁に沿って上昇し、当該周壁を乗り越えて、こぼれ易くなってしまう。
【００３３】
しかし、前述したように、前記液状薬剤に生じた横方向の変位を前記突出部で阻害し、波消しとしての効果を奏することができるため、前記液状薬剤の前記周壁の不用意な乗り越えを防止することができる。
【００３４】
さらに、請求項３の薬剤揮散装置では、前記突出部が複数の突起で構成されており、各突起は、前記底部の中心を包囲するように配置されている。
【００３５】
このため、底部中央より周壁方向へ向けて放射状に広がる液状薬剤の流れを、各突起により阻害することができ、その力を分散することができる。
【００３６】
これにより、前記液状薬剤の不用意なこぼれを抑制することができる。
【００３７】
加えて、請求項４の薬剤揮散装置にあっては、突出部が複数の突起で構成されており、各突起は、底部の中心を包囲する円弧状に形成されている。
【００３８】
このため、前記底部の中央より周壁方向へ向けて放射状に広がる液状薬剤の流れを、各突起により阻害し、その力を分散することができる。
【００３９】
これにより、前記液状薬剤の不用意なこぼれを抑制することができる。
【００４０】
また、前記各突起は、互いに離間して配置されている。このため、各突起を乗り越えて、周壁側へ移動した液状薬剤を、各突起間の隙間を介して底部中央に戻すことができる。
【００４１】
そして、円弧状の突起は、前記底部の中心を包囲するように配置されている。このため、各突起の内側に、前記揮散体を配置することで、当該揮散体を、底部の中央部に位置決めすることができる。
【００４２】
また、請求項５の薬剤揮散装置においては、突出部が複数の突起で構成されており、各突起は、底部と周壁との角部に設置されている。
【００４３】
このため、前記周壁に寄せられた液状薬剤の波を、前記各突起により消失させることができる。
【００４４】
これにより、前記液状薬剤の不用意なこぼれを抑制することができる。
【図面の簡単な説明】
【００４５】
【図１】本発明の第一の実施の形態を示す説明図で、（ａ）は使用状態を示す図であり、（ｂ）は斜視図である。
【図２】（ａ）は同実施の形態の断面図であり、（ｂ）は平面図である。
【図３】（ａ）は同実施の形態の側面図であり、（ｂ）は底面図である。
【図４】本発明の第二の実施の形態を示す図である。
【図５】本発明の第三の実施の形態を示す図である。
【図６】本発明の第四の実施の形態を示す図である。
【図７】（ａ）は本発明の第五の実施の形態の断面図であり、（ｂ）は本発明の第六の実施の形態を示す断面図である。
【発明を実施するための形態】
【００４６】
（第一の実施の形態）
【００４７】
以下、本発明の第一の実施の形態を図に従って説明する。
【００４８】
図１は、本実施の形態にかかる薬剤揮散装置１を示す図であり、該薬剤揮散装置１は、液状薬剤２を揮散する装置である。この液状薬剤２として無色透明の芳香剤が使用されており、他の薬剤としては、消臭剤等が挙げられる。
【００４９】
この薬剤揮散装置１は、トイレや室内等に置かれて使用されるものであり、室内に芳香剤を揮散するように構成されている。
【００５０】
前記薬剤揮散装置１は、上面開口状の容器体１１と、該容器体１１に収容された前記液状薬剤２と、該液状薬剤２に浸漬された揮散体１２とによって構成されている。
【００５１】
該揮散体１２は、薄肉に削られたソラの木の皮によって形成されており、複数の削り片２１，・・・が重ねられた状態で巻かれることで、バラの花びら形状に形成されている。各削り片２１，・・・は、前記液状薬剤２を吸い上げるように構成されており、該液状薬剤を当該液状薬剤２の液面より上方に吸い上げて大気中に揮散するように構成されている。
【００５２】
前記容器体１１は、図１の（ｂ）に示すように、底面３１と該底面３１の周縁より上方へ向けて延出した周壁３２とによって形成されている。該周壁３２は、前記底面３１から上方へ向かうに従って外側に広がるように形成されており、上面開口部３３へ向かうに従って、その立ち上がり角度が急になるように構成されている。これにより、当該容器体１１は、お椀状に形成されている。
【００５３】
該容器体１１の外周面には、図２に示すように、上方段差部４１と下方段差部４２とが全周に渡って形成されており、両段差部４１，４２は、図３に示すように、波形状に形成されている。
【００５４】
前記容器体１１の底部には、図１にも示したように、上方へ向けて突出する突出部５１が設けられている。該突出部５１は、図２の（ｂ）にも示したように、三つの突起としての円弧状突起５２，・・・で構成されており、各円弧状突起５２，・・・は、前記底面３１の中心５３を包囲する円弧状に形成されている。前記各円弧状突起５２，・・・は、前記底面３１の前記中心５３を包囲するように配置されており、各円弧状突起５２，・・・は、互いに離間して配置され、各円弧状突起５２，５２間には、図１の（ｂ）にも示したように、間隙５４が形成されている。
【００５５】
これらの円弧状突起５２，・・・は、図２の（ａ）にも示したように、前記底面３１と前記周壁３２との角部６１に設置されており、各円弧状突起５２，・・・の内側に前記揮散体１２が配置され、位置決めされるように構成されている（図１の（ａ）参照）。
【００５６】
以上の構成にかかる本実施において、上面開口状の容器体１１には、液状薬剤２が収容されており、前記容器体１１に収容された前記液状薬剤２には、当該液状薬剤２を揮散する為の揮散体１２が浸漬されている。
【００５７】
これにより、前記液状薬剤２が直接前記揮散体１２に吸い上げられるので、芯材等を介して液状薬剤２を揮散体１２に吸い上げる場合と比較して、吸上効率を高めることができる。
【００５８】
このとき、前記容器体１１は、上面開口部３３が開口している。このため、この容器体１１にぶつかる等して当該容器体１１に横方向の力が入力した際には、収容された液状薬剤２に波が生じ、こぼれやすくなる。
【００５９】
しかしながら、本実施の形態にあっては、前記液状薬剤２を収容した前記容器体１１の底部に上方へ突出した突出部５１が設けられている。このため、前記液状薬剤２に生じた横方向の変位が前記突出部５１で阻害され、波消しとして機能させることができる。
【００６０】
したがって、上面開口状の容器体１１内の液状薬剤２に直接前記揮散体１２を浸漬する場合であっても、前記液状薬剤２の不用意なこぼれを抑制することができる。
【００６１】
また、前記容器体１１は、その周壁３２が上方へ向かうに従って外側に広がるように傾斜しており、前記上面開口部３３が広くなるように構成されている。このため、当該容器体１１内への前記揮散体１２の収容が容易となる。
【００６２】
このとき、当該容器体１１に横向きの力が加えられ、収容された液状薬剤２に波が生じた場合、その波が傾斜した周壁３２に沿って上昇する。このため、前記液状薬剤２は、周壁３２が垂直に起立した場合と比較して、当該周壁３２を乗り越えて、こぼれやすい。
【００６３】
しかし、前述したように、前記液状薬剤２に生じた横方向の変位を前記突出部５１で阻害し、波消しとしての効果を奏することができるため、前記液状薬剤２の前記周壁３２の不用意な乗り越えを防止することができる。
【００６４】
そして、前記突出部５１は、複数の円弧状突起５２，・・・で構成されており、各円弧状突起５２，・・・は、前記底部の中心５３を包囲するように配置されている。
【００６５】
このため、底部中央より周壁３２方向へ向けて放射状に広がる液状薬剤２の流れを、各円弧状突起５２，・・・により阻害することができ、その力を分散することができる。
【００６６】
これにより、前記液状薬剤２の不用意なこぼれを抑制することができる。
【００６７】
また、各円弧状突起５２，・・・は、前記底部の中心５３を包囲する円弧状に形成されている。このため、前記底部の中央より周壁３２方向へ向けて放射状に広がる液状薬剤２の流れを、各円弧状突起５２，・・・により阻害し、その力を分散することができる。
【００６８】
これにより、前記液状薬剤２の不用意なこぼれを抑制することができる。
【００６９】
そして、前記各円弧状突起５２，・・・は、互いに離間して配置されており、各円弧状突起５２，・・・の間には、間隙５４，・・・が形成されている。このため、各円弧状突起５２，・・・を乗り越えて、前記周壁３２側へ移動した液状薬剤２を、各円弧状突起５２，・・・間の隙間５４，・・・を介して底部中央に戻すことができる。
【００７０】
そして、前記円弧状突起５２，・・・は、前記底部の中心５３を包囲するように配置されている。このため、各円弧状突起５２，・・・の内側に、前記揮散体１２を配置することで、当該揮散体１２を、底部の中央部に位置決めすることができる。
【００７１】
さらに、前記各円弧状突起５２，・・・は、前記底面３１と前記周壁３２との角部に設置されている。
【００７２】
このため、前記周壁３２に寄せられた前記液状薬剤２の波を、前記各円弧状突起５２，・・・により消失させることができる。
【００７３】
これにより、前記液状薬剤２の不用意なこぼれをさらに抑制することができる。
【００７４】
なお、本実施の形態では、前記容器体１１の底部に設けられた突出部５１を、円弧状に形成された円弧状突起５２，・・・で構成した場合を例に挙げて説明したが、突出部５１は、この形状に限定されるものではない。
【００７５】
（第二の実施の形態）
【００７６】
すなわち、図４に示すように、底面３１に突出した断面台形状の台形突起１０１，・・・を周方向の八箇所に突設し、各台形突起１０１，・・・で前記底面３１の中心５３を包囲しても良い。
【００７７】
この場合も第一の実施の形態と同様の作用効果を得ることができる。
【００７８】
（第三の実施の形態）
【００７９】
また、図５に示すように、前記底面３１の前記中心５３を包囲するように断面台形状の台形突起１０１，・・・を周方向の四ヶ所に等間隔をおいて突設するとともに、前記底面３１と周壁３２との角部６１に等間隔をおいた１２箇所に小突起１１１，・・・を設けても良い。
【００８０】
この場合も第一の実施の形態と同様の作用効果を得ることができる。
【００８１】
（第四の実施の形態）
【００８２】
さらに、図６に示すように、前記底面３１の前記中心５３を包囲するように断面台形状の板状突起１２１，・・・を周方向の四ヶ所に等間隔をおいて突設しても良い。
【００８３】
この場合も第一の実施の形態と同様の作用効果を得ることができる。
【００８４】
（第五の実施の形態）
【００８５】
そして、図７の（ａ）に示すように、前記底面３１に複数の針状の針状突起１３１，・・・を一体形成しても良い。
【００８６】
この場合も第一の実施の形態と同様の作用効果を得ることができる。
【００８７】
（第六の実施の形態）
【００８８】
また、図７の（ｂ）に示すように、基部１４１に複数の針状の針状突起１４２が設けられた剣山状の突起部材を前記底面３１に配置しても良い。
【００８９】
この場合も第一の実施の形態と同様の作用効果を得ることができる。
【符号の説明】
【００９０】
１    薬剤揮散装置
２    液状薬剤
１１    容器体
１２    揮散体
３１    底面
３２    周壁
３３    上面開口部
５１    突出部
５２    円弧状突起
５３    中心
５４    間隙
６１    角部
１０１    台形突起
１１１    小突起
１２１    板状突起
１３１    針状突起
【図１】
2014104266.tif 000003
【図２】
2014104266.tif 000004
【図３】
2014104266.tif 000005
【図４】
2014104266.tif 000006
【図５】
2014104266.tif 000007
【図６】
2014104266.tif 000008
【図７】
2014104266.tif 000009